(57)【要約】  小型で、収差を良好に補正でき、生産性の良い撮像レンズを提供する。実施形態の撮像レンズは、物体側から順に、正の屈折力を有し物体側に凸面を向けたメニスカス形状の第１レンズと、開口絞りと、正の屈折力を有し像側に凸面を向けたメニスカス形状の第２レンズと、負の屈折力を有し像側に凹面を向けた第３レンズとから構成され、以下の条件式を満足する。  −０．４５＜ｆ１２／ｆ３＜−０．２  ０．４１＜ｆ１／ｆ２＜０．７３  −２．１５＜Ｐａｉｒ１２／Ｐ＜−１．４５  但し、  ｆ１２：第１レンズと第２レンズとの合成焦点距離  ｆ３：第３レンズの焦点距離  ｆ１：第１レンズの焦点距離  ｆ２：第２レンズの焦点距離  Ｐ：撮像レンズ全系の屈折力（焦点距離の逆数）  Ｐａｉｒ１２：第１レンズの像側面と第２レンズの物体側面とにより形成されるいわゆる空気レンズの屈折力である。
2012035708.tif 000002
【特許請求の範囲】
【請求項１】
固体撮像素子の光電変換部に被写体像を結像させるための撮像レンズであって、
物体側から順に、
正の屈折力を有し物体側に凸面を向けたメニスカス形状の第１レンズと、
開口絞りと、
正の屈折力を有し像側に凸面を向けたメニスカス形状の第２レンズと、
負の屈折力を有し像側に凹面を向けた第３レンズとから構成され、
以下の条件式を満足することを特徴とする撮像レンズ。
−０．４５＜ｆ１２／ｆ３＜−０．２
０．４１＜ｆ１／ｆ２＜０．７３
−２．１５＜Ｐａｉｒ１２／Ｐ＜−１．４５
但し、
ｆ１２：前記第１レンズと前記第２レンズとの合成焦点距離
ｆ３：前記第３レンズの焦点距離
ｆ１：前記第１レンズの焦点距離
ｆ２：前記第２レンズの焦点距離
Ｐ：撮像レンズ全系の屈折力
Ｐａｉｒ１２：前記第１レンズの像側面と前記第２レンズの物体側面とにより形成されるいわゆる空気レンズの屈折力であり、以下の条件式で求める。
Ｐａｉｒ１２＝（１−Ｎ１）／Ｒ２＋（Ｎ２−１）／Ｒ３−｛（（１−Ｎ１）・（Ｎ２−１））／（Ｒ２・Ｒ３）｝・Ｄ２
但し、
Ｎ１：前記第１レンズのｄ線に対する屈折率
Ｎ２：前記第２レンズのｄ線に対する屈折率
Ｒ２：前記第１レンズの像側面の曲率半径
Ｒ３：前記第２レンズの物体側面の曲率半径
Ｄ２：前記第１レンズと前記第２レンズの軸上の空気間隔
【請求項２】
以下の条件式を満足することを特徴とする請求項１に記載の撮像レンズ。
０．０６＜ｆ１／ｆ２３＜０．３
但し、
ｆ１：前記第１レンズの焦点距離
ｆ２３：前記第２レンズと前記第３レンズとの合成焦点距離
【請求項３】
以下の条件式を満足することを特徴とする請求項１に記載の撮像レンズ。
２．１＜Ｐａｉｒ２３／Ｐ＜２．８
但し、
Ｐ：撮像レンズ全系の屈折力
Ｐａｉｒ２３：前記第２レンズの像側面と前記第３レンズの物体側面とにより形成されるいわゆる空気レンズの屈折力であり、以下の条件式で求める。
Ｐａｉｒ２３＝（１−Ｎ２）／Ｒ４＋（Ｎ３−１）／Ｒ５−｛（（１−Ｎ２）・（Ｎ３−１））／（Ｒ４・Ｒ５）｝・Ｄ４
但し、
Ｎ２：前記第２レンズのｄ線に対する屈折率
Ｎ３：前記第３レンズのｄ線に対する屈折率
Ｒ４：前記第２レンズの像側面の曲率半径
Ｒ５：前記第３レンズの物体側面の曲率半径
Ｄ４：前記第２レンズと前記第３レンズの軸上の空気間隔
【請求項４】
以下の条件式を満足することを特徴とする請求項１に記載の撮像レンズ。
０．１８＜Ｄ１／ｆ＜０．３
０．１８＜Ｄ３／ｆ＜０．３
０．１２＜Ｄ５／ｆ＜０．２５
但し、
Ｄ１：前記第１レンズの軸上厚
Ｄ３：前記第２レンズの軸上厚
Ｄ５：前記第３レンズの軸上厚
ｆ：撮像レンズ全系の焦点距離
【請求項５】
前記第３レンズは、物体側面と像側面とが非球面に形成され、光軸近傍では負の屈折力を有すると共に周辺部では正の屈折力を有し、以下の条件式を満足することを特徴とする請求項１に記載の撮像レンズ。
１５＜νｄ３＜３５
但し、
νｄ３：前記第３レンズのアッベ数
【請求項６】
実質的に屈折力を持たないレンズを更に有することを特徴とする請求項１〜５のいずれか１項に記載の撮像レンズ。
【発明の詳細な説明】
【技術分野】
【０００１】
本発明は、ＣＣＤ型イメージセンサ若しくはＣＭＯＳ型イメージセンサ等の固体撮像素子を用いた撮像装置への適用に好適であり、小型で充分な性能を有する撮像レンズに関する。
【背景技術】
【０００２】
ＣＣＤ型イメージセンサやＣＭＯＳ型イメージセンサ等の固体撮像素子を用いた小型の撮像装置が、携帯電話やＰＤＡ（Ｐｅｒｓｏｎａｌ  Ｄｉｇｉｔａｌ  Ａｓｓｉｓｔａｎｔ）等の携帯端末、更にはノートパソコン等にも搭載されるようになり、遠隔地へ音声情報だけでなく画像情報も相互に伝送することが可能になった。【０００３】
このような撮像装置に用いられる固体撮像素子においては、近年、画素の小型化が進み、撮像素子の高画素化や小型化が図られている。有効画素数が２Ｍクラスのセンサとしては、１／５インチサイズ（画素ピッチ１．７５ｕｍ）の固体撮像素子が製品化されている。このような小型の撮像素子に使用される撮像レンズとして、３枚構成の撮像レンズが知られている（特許文献１〜６参照）。
【先行技術文献】
【特許文献】
【０００４】
【特許文献１】特開２００６−３０１２２１号公報
【特許文献２】特開２００８−２０３８２２号公報
【特許文献３】特開２００８−２７５８３２号公報
【特許文献４】特開２００９−３１６９６号公報
【特許文献５】特開２００９−２６５４５１号公報
【特許文献６】特開２００７−２６４１８１号公報
【発明の概要】
【発明が解決しようとする課題】
【０００５】
特許文献１〜３には、正の第１レンズ、開口絞り、正の第２レンズ及び負の第３レンズから構成される撮像レンズが記載されている。このタイプの撮像レンズは開口絞りを挟んで比較的対称な構成になるので、コマ収差や歪曲収差の補正に有利である。しかしながら、特許文献１及び特許文献３は、全てのレンズが同一材料で構成されているため色収差の補正が不充分である。特許文献２は、第１レンズがガラスで構成されているため、コスト高になってしまう。【０００６】
特許文献４，５には、正の第１レンズ、開口絞り、負の第２レンズ及び負の第３レンズから構成される撮像レンズが記載されている。このタイプの撮像レンズは開口絞りを挟んで非対称な構成になるので、コマ収差や歪曲収差の補正に不利である。更に、レンズ全系における正の屈折力を１枚の正レンズで負担するため、第１レンズの誤差感度が高くなり、加工性が悪い。【０００７】
特許文献６には、開口絞り、正の第１レンズ、正若しくは負の第２レンズ、及び負の第３レンズから構成される撮像レンズが記載されている。これは前置絞りの構成なので、固体撮像素子の撮像面に入射する光束の主光線入射角いわゆるテレセントリック性の補正が容易になるので、レンズの小型化に有利である。しかしながら、レンズ全系が非対称な構成であるため、コマ収差や歪曲収差や倍率色収差の補正に不利である。また、画素サイズの小さい固体撮像素子（たとえば１／５インチサイズ２Ｍ画素ピッチ１．７５ｕｍ）に使用される撮像レンズは、高細化された画素に対応するために高い解像力が要求される。レンズの解像力はＦ値により制限され、Ｆ値の小さい明るいレンズの方が高解像力を得られるため、特許文献６のようにＦ３．２程度のＦ値では充分な性能を得ることができない。【０００８】
本発明はこのような問題に鑑みてなされたものであり、その目的は、Ｆ値がＦ３．０よりも小さく、小型で、収差を良好に補正でき、シェーディングを抑制でき、更に生産性の良い撮像レンズを得ることにある。
【課題を解決するための手段】
【０００９】
上記目的は下記に記載した発明により達成される。【００１０】
１．固体撮像素子の光電変換部に被写体像を結像させるための撮像レンズであって、
物体側から順に、
正の屈折力を有し物体側に凸面を向けたメニスカス形状の第１レンズと、
開口絞りと、
正の屈折力を有し像側に凸面を向けたメニスカス形状の第２レンズと、
負の屈折力を有し像側に凹面を向けた第３レンズとから構成され、
以下の条件式を満足することを特徴とする撮像レンズ。【００１１】
−０．４５＜ｆ１２／ｆ３＜−０．２                  （１）
０．４１＜ｆ１／ｆ２＜０．７３                      （２）
−２．１５＜Ｐａｉｒ１２／Ｐ＜−１．４５               （３）
但し、
ｆ１２：前記第１レンズと前記第２レンズとの合成焦点距離
ｆ３：前記第３レンズの焦点距離
ｆ１：前記第１レンズの焦点距離
ｆ２：前記第２レンズの焦点距離
Ｐ：撮像レンズ全系の屈折力（焦点距離の逆数）
Ｐａｉｒ１２：前記第１レンズの像側面と前記第２レンズの物体側面とにより形成されるいわゆる空気レンズの屈折力であり、以下の条件式で求める。【００１２】
Ｐａｉｒ１２＝（１−Ｎ１）／Ｒ２＋（Ｎ２−１）／Ｒ３−｛（（１−Ｎ１）・（Ｎ２−１））／（Ｒ２・Ｒ３）｝・Ｄ２
但し、
Ｎ１：前記第１レンズのｄ線に対する屈折率
Ｎ２：前記第２レンズのｄ線に対する屈折率
Ｒ２：前記第１レンズの像側面の曲率半径
Ｒ３：前記第２レンズの物体側面の曲率半径
Ｄ２：前記第１レンズと前記第２レンズの軸上の空気間隔【００１３】
２．以下の条件式を満足することを特徴とする前記１に記載の撮像レンズ。
０．０６＜ｆ１／ｆ２３＜０．３                      （４）
但し、
ｆ１：前記第１レンズの焦点距離
ｆ２３：前記第２レンズと前記第３レンズとの合成焦点距離【００１４】
３．以下の条件式を満足することを特徴とする前記１（又は前記２）に記載の撮像レンズ。
２．１＜Ｐａｉｒ２３／Ｐ＜２．８                       （５）
但し、
Ｐ：撮像レンズ全系の屈折力（焦点距離の逆数）
Ｐａｉｒ２３：前記第２レンズの像側面と前記第３レンズの物体側面とにより形成されるいわゆる空気レンズの屈折力であり、以下の条件式で求める。【００１５】
Ｐａｉｒ２３＝（１−Ｎ２）／Ｒ４＋（Ｎ３−１）／Ｒ５−｛（（１−Ｎ２）・（Ｎ３−１））／（Ｒ４・Ｒ５）｝・Ｄ４
但し、
Ｎ２：前記第２レンズのｄ線に対する屈折率
Ｎ３：前記第３レンズのｄ線に対する屈折率
Ｒ４：前記第２レンズの像側面の曲率半径
Ｒ５：前記第３レンズの物体側面の曲率半径
Ｄ４：前記第２レンズと前記第３レンズの軸上の空気間隔【００１６】
４．以下の条件式を満足することを特徴とする前記１（〜前記３の何れか１項）に記載の撮像レンズ。
０．１８＜Ｄ１／ｆ＜０．３                          （６）
０．１８＜Ｄ３／ｆ＜０．３                          （７）
０．１２＜Ｄ５／ｆ＜０．２５                        （８）
但し、
Ｄ１：前記第１レンズの軸上厚
Ｄ３：前記第２レンズの軸上厚
Ｄ５：前記第３レンズの軸上厚
ｆ：撮像レンズ全系の焦点距離【００１７】
５．前記第３レンズは、物体側面と像側面とが非球面に形成され、光軸近傍では負の屈折力を有すると共に周辺部では正の屈折力を有し、以下の条件式を満足することを特徴とする前記１（〜前記４の何れか１項）に記載の撮像レンズ。
１５＜νｄ３＜３５                                  （９）
但し、
νｄ３：前記第３レンズのアッベ数【００１８】
６．実質的に屈折力を持たないレンズを更に有することを特徴とする前記１〜５の何れか１項に記載の撮像レンズ。つまり、前記１〜５の構成に、実質的に屈折力を持たないダミーレンズを付与した場合でも本発明の適用範囲内である。
【発明の効果】
【００１９】
請求項１の効果
本発明の撮像レンズは、物体側より順に、正の屈折力を有し物体側に凸面を向けた第１レンズと、開口絞りと、正の屈折力を有し像側に凸面を向けたメニスカス形状の第２レンズと、負の屈折力を有し像側に凹面を向けた第３レンズとから構成される。物体側より順に、第１レンズ及び第２レンズからなる正レンズ群と、像側に凹面を向けた負の第３レンズを配置する、このレンズ構成は、いわゆるテレフォトタイプであり、撮像レンズ全長の小型化に有利である。【００２０】
収差補正に関しては、開口絞りが第１レンズと第２レンズの間に配置され、第１レンズが物体側に凸面を向けた形状であり、第２レンズが像側に凸面を向けたメニスカス形状であるから、対称的な構成となり、倍率色収差や歪曲収差を補正し易い構成である。また、正の屈折力を第１レンズと第２レンズで分担しているので、球面収差やコマ収差の発生を抑えることができる。更に、偏芯誤差の要因が少ないので、生産性の良いレンズを実現できる。【００２１】
条件式（１）は、第１レンズ及び第２レンズによる正レンズ群の焦点距離と、第３レンズの負の焦点距離とを適切に設定することにより、小型化と収差補正をバランスよく行うための条件式である。ｆ１２／ｆ３が上限を下回ることで、レンズ全長の小型化を達成し、像面湾曲や歪曲収差等の軸外諸収差の補正を良好に行うことができる。一方、ｆ１２／ｆ３が下限を上回ることで、第３レンズの焦点距離が小さくなり過ぎず、固体撮像素子の撮像面の周辺部に結像する光束が過度に跳ね上げられることがなくなり、像側光束のテレセントリック性を容易に確保することができる。結果として、撮像面の周辺部において実質的な開口効率が減少する現象（シェーディング）を抑制することができる。【００２２】
条件式（２）は、正レンズ群における第１レンズと第２レンズの焦点距離を適切に設定することにより、小型化と良好な収差補正を達成するための条件式である。ｆ１／ｆ２が上限を下回ることで、第２レンズの焦点距離に比べて第１レンズの焦点距離が大きくなり過ぎず、撮像レンズ全長の小型化を図ることができる。また、撮像レンズの射出瞳の位置を固体撮像素子から物体側へ遠ざけることができるので、撮像面に入射する光束の主光線入射角いわゆるテレセントリック性の補正が有利になる。一方、ｆ１／ｆ２が下限を上回ることで、第２レンズの焦点距離に比べて第１レンズの焦点距離が小さくなり過ぎず、第１レンズで発生する高次の球面収差やコマ収差を抑えることができる。更に、偏芯誤差感度を小さくすることができ、生産性の良いレンズが得られる。【００２３】
条件式（３）は、第１レンズと第２レンズで形成される空気レンズの屈折力を適切にすることにより、像面補正及びレンズの加工性を良好にするための条件式である。Ｐａｉｒ１２／Ｐが上限を下回ることで、空気レンズによる負の屈折力を維持できるため、ペッツバール和が大きくなり過ぎず、像面を平坦にすることができる。一方、Ｐａｉｒ１２／Ｐが下限を上回ることで、空気レンズによる負の屈折力が強くなり過ぎないので、絞りを挟む第２面と第３面の曲率半径を大きくすることができ、レンズの加工性が良くなる。更に、軸外で第２面と第３面が離れるので、軸上での間隔を大きくしなくても絞りを挿入するための空気間隔を充分に確保でき、撮像レンズの小型化に有利になる。【００２４】
請求項２の効果
条件式（４）は、開口絞りより物体側に配置される第１レンズの焦点距離と、開口絞りより像側に配置される第２レンズと第３レンズとの合成焦点距離をバランスよく設定するための条件式である。ｆ１／ｆ２３が上限を下回ることで、第２レンズと第３レンズとの合成焦点距離に比べて第１レンズの焦点距離が大きくなり過ぎず、撮像レンズ全系の主点位置が像側に寄り過ぎることを回避できる。したがって、撮像レンズ全系のレンズ全長を小さく抑えることができる。一方、ｆ１／ｆ２３が下限を上回ることで、第２レンズと第３レンズとの合成焦点距離に比べて、第１レンズの焦点距離が小さくなり過ぎず、射出瞳の位置を固体撮像素子から物体側へ遠ざけることができる。したがって、固体撮像素子の撮像面の周辺部に結像する光束の主光線入射角度を小さくすることが可能となる。【００２５】
請求項３の効果
条件式（５）は、第２レンズと第３レンズで形成される空気レンズの屈折力を適切にすることにより、軸外収差を良好に補正するための条件式である。Ｐａｉｒ２３／Ｐが上限を下回ることで、空気レンズによる正の屈折力を適度に確保できるため、負の第３レンズで発生する軸外諸収差をバランスよく補正することができる。一方、Ｐａｉｒ２３／Ｐが下限を上回ることで、空気レンズによる正の屈折力が強くなり過ぎず、軸外光束のコマフレアや歪曲収差の発生を抑制することができる。【００２６】
請求項４の効果
条件式（６），（７），（８）は、各レンズの厚みを適切に設定するための条件式である。各々の値が下限を上回ることで、各レンズが薄くなり過ぎて、加工性の難易度が上がることを抑えることができる。一方、各々の値が上限を下回ることで、各レンズが厚くなり過ぎず、レンズ全長の短縮が容易になり、撮像レンズの小型化が図れる。【００２７】
請求項５の効果
第３レンズは、光軸近傍において負の屈折力を有しているので、テレフォトタイプの構成となる。よって、バックフォーカスを短くでき、全長の短縮に有利である。また、非球面形状によりレンズ周辺部に正の屈折力を持たせることで、第３レンズから射出する軸外光束は収斂作用となり、撮像面に入射する主光線の角度を小さくできる。【００２８】
条件式（９）は、撮像レンズ全系の色収差を良好に補正するための条件式である。νｄ３が下限を上回ることで、負の屈折力を有する光軸近傍を通過する軸上光束の色収差を良好に補正することができる。また、νｄ３が上限を下回ることで、正の屈折力を有する周辺部を通過する軸外光束の倍率色収差を良好に補正することができる。
【図面の簡単な説明】
【００２９】
【図１】実施例１の撮像レンズの断面図である。
【図２Ａ】実施例１の撮像レンズの収差図（球面収差）である。
【図２Ｂ】実施例１の撮像レンズの収差図（非点収差）である。
【図２Ｃ】実施例１の撮像レンズの収差図（歪曲収差）である。
【図３】実施例２の撮像レンズの断面図である。
【図４Ａ】実施例２の撮像レンズの収差図（球面収差）である。
【図４Ｂ】実施例２の撮像レンズの収差図（非点収差）である。
【図４Ｃ】実施例２の撮像レンズの収差図（歪曲収差）である。
【図５】実施例３の撮像レンズの断面図である。
【図６Ａ】実施例３の撮像レンズの収差図（球面収差）である。
【図６Ｂ】実施例３の撮像レンズの収差図（非点収差）である。
【図６Ｃ】実施例３の撮像レンズの収差図（歪曲収差）である。
【図７】実施例４の撮像レンズの断面図である。
【図８Ａ】実施例４の撮像レンズの収差図（球面収差）である。
【図８Ｂ】実施例４の撮像レンズの収差図（非点収差）である。
【図８Ｃ】実施例４の撮像レンズの収差図（歪曲収差）である。
【図９】実施例５の撮像レンズの断面図である。
【図１０Ａ】実施例５の撮像レンズの収差図（球面収差）である。
【図１０Ｂ】実施例５の撮像レンズの収差図（非点収差）である。
【図１０Ｃ】実施例５の撮像レンズの収差図（歪曲収差）である。
【図１１】実施例６の撮像レンズの断面図である。
【図１２Ａ】実施例６の撮像レンズの収差図（球面収差）である。
【図１２Ｂ】実施例６の撮像レンズの収差図（非点収差）である。
【図１２Ｃ】実施例６の撮像レンズの収差図（歪曲収差）である。
【図１３】実施例７の撮像レンズの断面図である。
【図１４Ａ】実施例７の撮像レンズの収差図（球面収差）である。
【図１４Ｂ】実施例７の撮像レンズの収差図（非点収差）である。
【図１４Ｃ】実施例７の撮像レンズの収差図（歪曲収差）である。
【図１５】実施例８の撮像レンズの断面図である。
【図１６Ａ】実施例８の撮像レンズの収差図（球面収差）である。
【図１６Ｂ】実施例８の撮像レンズの収差図（非点収差）である。
【図１６Ｃ】実施例８の撮像レンズの収差図（歪曲収差）である。
【図１７】実施例９の撮像レンズの断面図である。
【図１８Ａ】実施例９の撮像レンズの収差図（球面収差）である。
【図１８Ｂ】実施例９の撮像レンズの収差図（非点収差）である。
【図１８Ｃ】実施例９の撮像レンズの収差図（歪曲収差）である。
【図１９】実施例１０の撮像レンズの断面図である。
【図２０Ａ】実施例１０の撮像レンズの収差図（球面収差）である。
【図２０Ｂ】実施例１０の撮像レンズの収差図（非点収差）である。
【図２０Ｃ】実施例１０の撮像レンズの収差図（歪曲収差）である。
【図２１】実施例１１の撮像レンズの断面図である。
【図２２Ａ】実施例１１の撮像レンズの収差図（球面収差）である。
【図２２Ｂ】実施例１１の撮像レンズの収差図（非点収差）である。
【図２２Ｃ】実施例１１の撮像レンズの収差図（歪曲収差）である。
【図２３】実施例１２の撮像レンズの断面図である。
【図２４Ａ】実施例１２の撮像レンズの収差図（球面収差）である。
【図２４Ｂ】実施例１２の撮像レンズの収差図（非点収差）である。
【図２４Ｃ】実施例１２の撮像レンズの収差図（歪曲収差）である。
【実施例】
【００３０】
以下に本発明の撮像レンズの実施例を示す。各実施例に使用する記号は下記の通りである。【００３１】
ｆ：撮像レンズ全系の焦点距離
ｆＢ：バックフォーカス
Ｆ：Ｆナンバー
２Ｙ：固体撮像素子の撮像面対角線長
Ｒ：曲率半径
Ｄ：軸上面間隔
Ｎｄ：レンズ材料のｄ線に対する屈折率
νｄ：レンズ材料のアッベ数
ＥＮＴＰ：入射瞳位置（第１面から入射瞳位置までの距離）
ＥＸＴＰ：射出瞳位置（撮像面から射出瞳位置までの距離）
Ｈ１：前側主点位置（第１面から前側主点位置までの距離）
Ｈ２：後側主点位置（最終面から後側主点位置までの距離）
各実施例において、各面番号の後に（＊）が記載されている面は非球面形状を有する面である。非球面形状は、面の頂点を原点とし、光軸方向にＸ軸を取り、光軸と垂直方向の高さをｈとし、以下の数１で表す。【００３２】
【数１】
2012035708.tif 000003
【００３３】
但し、
Ａｉ：ｉ次の非球面係数
Ｋ：円錐定数
また、非球面係数において、１０のべき乗数（例えば２．５×１０−０２）をＥ（例えば２．５Ｅ−０２）を用いて表している。【００３４】
なお、請求の範囲及び実施例に記載の近軸曲率半径の意味合いについて、実際のレンズ測定の場面においては、レンズ中央近傍（具体的には、レンズ外径に対して１０％以内の中央領域）での形状測定値を最小自乗法でフィッティングした際の近似曲率半径を、近軸曲率半径とみなすことができる。【００３５】
また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと）【００３６】
［実施例１］
撮像レンズの全体諸元を以下に示す。
ｆ＝２．２７ｍｍ
ｆＢ＝０．０５ｍｍ
Ｆ＝２．８
２Ｙ＝３．８ｍｍ
ＥＮＴＰ＝０．３８ｍｍ
ＥＸＴＰ＝−１．９３ｍｍ
Ｈ１＝０．０５ｍｍ
Ｈ２＝−２．２２ｍｍ【００３７】
撮像レンズの面データを以下に示す。
面番号        Ｒ(mm)        Ｄ(mm)        Nd        νd        有効半径(mm)
１（＊）    0.924          0.44        1.5447       56          0.56
２（＊）    2.288          0.03                                 0.34
３(絞り)      ∞           0.37                                 0.34
４（＊）   -0.888          0.49        1.5447       56          0.47
５（＊）   -0.756          0.35                                 0.70
６（＊）    1.497          0.33        1.6320       23           1.26
７（＊）    0.971          0.55                                 1.47
８            ∞           0.40        1.5168      64.2          2.00
９            ∞                                                2.00【００３８】
非球面係数を以下に示す。
第１面
K=0.14767E+00, A4=0.86591E-01, A6=-0.17312E+00, A8=0.12543E+01, A10=-0.55317E+00, A12=-0.46811E+01, A14=0.91282E+01
第２面
K=0.18030E+02, A4=0.19287E+00, A6=-0.59889E+01, A8=0.50638E+02, A10=-0.15146E+03, A12=-0.11847E+03
第４面
K=-0.37247E+01, A4=-0.11312E+01, A6=-0.39143E+01, A8=0.10608E+02, A10=-0.31944E+02, A12=0.35018E+02
第５面
K=-0.68435E+00, A4=-0.57714E+00, A6=0.11920E+01, A8=-0.33203E+01, A10=-0.96206E+00, A12=0.94673E+01
第６面
K=-0.24723E+02, A4=-0.38084E+00, A6=0.19016E+00, A8=0.30936E-01, A10=-0.17326E-01, A12=-0.16629E-01, A14=0.42559E-02
第７面
K=-0.84707E+01, A4=-0.25232E+00, A6=0.13290E+00, A8=-0.66150E-01, A10=0.19585E-01, A12=0.24825E-02, A14=-0.22619E-02【００３９】
撮像レンズの単レンズデータを以下に示す。
レンズ         始面         焦点距離(mm)
１            １            2.559
２            ４            4.039
３            ６           -5.789【００４０】
条件式（１）〜（９）に対応する値を以下に示す。
（１）ｆ１２／ｆ３＝−０．３６８
（２）ｆ１／ｆ２＝０．６３４
（３）Ｐａｉｒ１２／Ｐ＝−２．０６２
（４）ｆ１／ｆ２３＝０．２２８
（５）Ｐａｉｒ２３／Ｐ＝２．３４６
（６）ｄ１／ｆ＝０．１９３
（７）ｄ３／ｆ＝０．２１６
（８）ｄ５／ｆ＝０．１４６
（９）ν３＝２３【００４１】
図１は実施例１の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。
図２Ａ、Ｂ、Ｃは実施例１の撮像レンズの収差図（球面収差、非点収差、歪曲収差）である。【００４２】
［実施例２］
撮像レンズの全体諸元を以下に示す。
ｆ＝２．２６ｍｍ
ｆＢ＝０．０５ｍｍ
Ｆ＝２．８
２Ｙ＝３．８ｍｍ
ＥＮＴＰ＝０．４２ｍｍ
ＥＸＴＰ＝−１．９２ｍｍ
Ｈ１＝０．０９ｍｍ
Ｈ２＝−２．２１ｍｍ【００４３】
撮像レンズの面データを以下に示す。
面番号        Ｒ(mm)        Ｄ(mm)        Nd        νd        有効半径(mm)
１（＊）    0.956          0.47        1.5447       56          0.59
２（＊）    2.504          0.04                                 0.35
３(絞り)      ∞           0.36                                 0.33
４（＊）   -0.885          0.49        1.5447       56          0.47
５（＊）   -0.733          0.33                                 0.70
６（＊）    1.455          0.30        1.6320       23          1.27
７（＊）    0.931          0.57                                 1.46
８            ∞           0.40        1.5168      64.2         2.00
９            ∞                                               2.00【００４４】
非球面係数を以下に示す。
第１面
K=0.98179E-01, A4=0.79491E-01, A6=-0.28870E+00, A8=0.16918E+01, A10=-0.14358E+01, A12=-0.70644E+01, A14=0.13909E+02
第２面
K=0.23134E+02, A4=0.10228E+00, A6=-0.45516E+01, A8=0.33536E+02, A10=-0.93568E+02, A12=-0.11847E+03
第４面
K=-0.35182E+01, A4=-0.11057E+01, A6=-0.37753E+01, A8=0.99112E+01, A10=-0.30478E+02, A12=0.35018E+02
第５面
K=-0.72278E+00, A4=-0.54089E+00, A6=0.11597E+01, A8=-0.34437E+01, A10=-0.34891E+00, A12=0.89693E+01
第６面
K=-0.25475E+02, A4=-0.38260E+00, A6=0.20088E+00, A8=0.27864E-01, A10=-0.21075E-01, A12=-0.16208E-01, A14=0.51512E-02
第７面
K=-0.84565E+01, A4=-0.26546E+00, A6=0.14823E+00, A8=-0.74425E-01, A10=0.20883E-01, A12=0.31141E-02, A14=-0.25540E-02【００４５】
撮像レンズの単レンズデータを以下に示す。
レンズ         始面         焦点距離(mm)
１            １            2.563
２            ４            3.666
３            ６           -5.245【００４６】
条件式（１）〜（９）に対応する値を以下に示す。
（１）ｆ１２／ｆ３＝−０．３９６
（２）ｆ１／ｆ２＝０．６９９
（３）Ｐａｉｒ１２／Ｐ＝−２．００４
（４）ｆ１／ｆ２３＝０．２４６
（５）Ｐａｉｒ２３／Ｐ＝２．４２０
（６）ｄ１／ｆ＝０．２０８
（７）ｄ３／ｆ＝０．２１７
（８）ｄ５／ｆ＝０．１３３
（９）ν３＝２３【００４７】
図３は実施例２の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。
図４Ａ、Ｂ、Ｃは実施例２の撮像レンズの収差図（球面収差、非点収差、歪曲収差）である。【００４８】
［実施例３］
撮像レンズの全体諸元を以下に示す。
ｆ＝２．２６ｍｍ
ｆＢ＝０．０５ｍｍ
Ｆ＝２．８
２Ｙ＝３．８ｍｍ
ＥＮＴＰ＝０．４９ｍｍ
ＥＸＴＰ＝−１．８４ｍｍ
Ｈ１＝０．０５ｍｍ
Ｈ２＝−２．２１ｍｍ【００４９】
撮像レンズの面データを以下に示す。
面番号        Ｒ(mm)        Ｄ(mm)        Nd        νd        有効半径(mm)
１（＊）    0.961          0.56        1.5447       56          0.62
２（＊）    2.819          0.02                                 0.33
３(絞り)      ∞           0.30                                 0.32
４（＊）   -0.886          0.47        1.5447       56          0.43
５（＊）   -0.787          0.36                                 0.67
６（＊）    1.768          0.33        1.6320       23          1.24
７（＊）    1.173          0.51                                 1.39
８            ∞           0.40        1.5168      64.2         2.00
９            ∞                                               2.00
非球面係数を以下に示す。
第１面
K=0.48844E-01, A4=0.71794E-01, A6=-0.30912E+00, A8=0.11515E+01, A10=-0.73800E+00, A12=-0.39416E+01, A14=0.38054E+01
第２面
K=0.14838E+02, A4=0.26471E+00, A6=-0.89175E+01, A8=0.73271E+02, A10=-0.22638E+03, A12=-0.11847E+03
第４面
K=-0.56234E+01, A4=-0.16233E+01, A6=-0.39806E+01, A8=0.10791E+02, A10=-0.50281E+02, A12=0.35018E+02
第５面
K=-0.52233E+00, A4=-0.74521E+00, A6=0.20798E+01, A8=-0.61805E+01, A10=0.66326E+00, A12=0.16169E+02
第６面
K=-0.50000E+02, A4=-0.51341E+00, A6=0.28563E+00, A8=0.31468E-01, A10=-0.33088E-01, A12=-0.21782E-01, A14=0.10685E-01
第７面
K=-0.13789E+02, A4=-0.31519E+00, A6=0.15666E+00, A8=-0.69376E-01, A10=0.15868E-01, A12=0.94274E-03, A14=-0.77165E-03【００５０】
撮像レンズの単レンズデータを以下に示す。
レンズ         始面         焦点距離(mm)
１            １            2.420
２            ４            4.850
３            ６           -6.985【００５１】
条件式（１）〜（９）に対応する値を以下に示す。
（１）ｆ１２／ｆ３＝−０．３０９
（２）ｆ１／ｆ２＝０．４９９
（３）Ｐａｉｒ１２／Ｐ＝−１．９１１
（４）ｆ１／ｆ２３＝０．１６８
（５）Ｐａｉｒ２３／Ｐ＝２．１６８
（６）ｄ１／ｆ＝０．２４７
（７）ｄ３／ｆ＝０．２０７
（８）ｄ５／ｆ＝０．１４４
（９）ν３＝２３【００５２】
図５は実施例３の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。
図６Ａ、Ｂ、Ｃは実施例３の撮像レンズの収差図（球面収差、非点収差、歪曲収差）である。【００５３】
［実施例４］
撮像レンズの全体諸元を以下に示す。
ｆ＝２．４２ｍｍ
ｆＢ＝０．０５ｍｍ
Ｆ＝２．８
２Ｙ＝３．８ｍｍ
ＥＮＴＰ＝０．５４ｍｍ
ＥＸＴＰ＝−１．９９ｍｍ
Ｈ１＝０．１０ｍｍ
Ｈ２＝−２．３７ｍｍ【００５４】
撮像レンズの面データを以下に示す。
面番号        Ｒ(mm)        Ｄ(mm)        Nd        νd        有効半径(mm)
１（＊）    1.037          0.57        1.5305       56          0.67
２（＊）    3.994          0.05                                 0.41
３(絞り)      ∞           0.43                                 0.35
４（＊）   -0.958          0.61        1.5305       56          0.50
５（＊）   -0.810          0.10                                 0.80
６（＊）    1.698          0.43        1.5830       30          1.29
７（＊）    0.972          0.58                                 1.48
８            ∞           0.40        1.5168      64.2         2.00
９            ∞                                               2.00【００５５】
非球面係数を以下に示す。
第１面
K=-0.14708E+00, A4=-0.17872E-01, A6=0.15523E+00, A8=-0.30828E+00, A10=-0.62282E+00, A12=0.21971E+01, A14=-0.23864E+01
第２面
K=0.26157E+02, A4=-0.14788E+00, A6=0.32494E+00, A8=-0.84093E+01, A10=0.42083E+02, A12=-0.71597E+02
第４面
K=-0.47839E+00, A4=-0.29799E+00, A6=-0.44025E+01, A8=0.14540E+02, A10=-0.54005E+02, A12=0.21665E+02
第５面
K=-0.71960E+00, A4=-0.58707E+00, A6=0.13875E+01, A8=-0.17423E+01, A10=-0.27244E+01, A12=0.51656E+01
第６面
K=-0.43666E+02, A4=-0.35117E+00, A6=0.14541E+00, A8=0.36511E-01, A10=-0.47584E-02, A12=-0.20306E-01, A14=0.63588E-02
第７面
K=-0.58221E+01, A4=-0.28540E+00, A6=0.14332E+00, A8=-0.63012E-01, A10=0.96838E-02, A12=0.21333E-02, A14=-0.43770E-03【００５６】
撮像レンズの単レンズデータを以下に示す。
レンズ         始面         焦点距離(mm)
１            １            2.475
２            ４            4.062
３            ６           -4.994【００５７】
条件式（１）〜（９）に対応する値を以下に示す。
（１）ｆ１２／ｆ３＝−０．４４６
（２）ｆ１／ｆ２＝０．６０９
（３）Ｐａｉｒ１２／Ｐ＝−１．７４５
（４）ｆ１／ｆ２３＝０．１１６
（５）Ｐａｉｒ２３／Ｐ＝２．３５７
（６）ｄ１／ｆ＝０．２３７
（７）ｄ３／ｆ＝０．２５４
（８）ｄ５／ｆ＝０．１７９
（９）ν３＝３０【００５８】
図７は実施例４の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。
図８Ａ、Ｂ、Ｃは実施例４の撮像レンズの収差図（球面収差、非点収差、歪曲収差）である。【００５９】
［実施例５］
撮像レンズの全体諸元を以下に示す。
ｆ＝２．４０ｍｍ
ｆＢ＝０．０６ｍｍ
Ｆ＝２．８
２Ｙ＝３．８ｍｍ
ＥＮＴＰ＝０．５３ｍｍ
ＥＸＴＰ＝−２．００ｍｍ
Ｈ１＝０．１３ｍｍ
Ｈ２＝−２．３４ｍｍ【００６０】
撮像レンズの面データを以下に示す。
面番号        Ｒ(mm)        Ｄ(mm)        Nd        νd        有効半径(mm)
１（＊）    1.085          0.57        1.5305       56          0.68
２（＊）    5.472          0.05                                 0.42
３(絞り)      ∞           0.45                                 0.35
４（＊）   -0.935          0.61        1.5305       56          0.50
５（＊）   -0.810          0.10                                 0.80
６（＊）    1.579          0.42        1.5830       30          1.30
７（＊）    0.934          0.57                                 1.48
８            ∞           0.40        1.5168       64.2        2.00
９            ∞                                               2.00【００６１】
非球面係数を以下に示す。
第１面
K=-0.23246E+00, A4=-0.22597E-01, A6=0.53905E-01, A8=-0.16875E+00, A10=-0.73377E+00, A12=0.15826E+01, A14=-0.17406E+01
第２面
K=0.74193E+01, A4=-0.15873E+00, A6=-0.87711E-01, A8=-0.53384E+01, A10=0.35129E+02, A12=-0.71597E+02
第４面
K=-0.64498E+00, A4=-0.26143E+00, A6=-0.46019E+01, A8=0.12862E+02, A10=-0.54393E+02, A12=0.21666E+02
第５面
K=-0.70259E+00, A4=-0.60312E+00, A6=0.15623E+01, A8=-0.21131E+01, A10=-0.29097E+01, A12=0.56566E+01
第６面
K=-0.50000E+02, A4=-0.36528E+00, A6=0.16551E+00, A8=0.36020E-01, A10=-0.74333E-02, A12=-0.21055E-01, A14=0.67896E-02
第７面
K=-0.73663E+01, A4=-0.27737E+00, A6=0.14561E+00, A8=-0.61581E-01, A10=0.94469E-02, A12=0.18967E-02, A14=-0.39631E-03【００６２】
撮像レンズの単レンズデータを以下に示す。
レンズ         始面         焦点距離(mm)
１            １            2.442
２            ４            4.220
３            ６           -5.171【００６３】
条件式（１）〜（９）に対応する値を以下に示す。
（１）ｆ１２／ｆ３＝−０．４３２
（２）ｆ１／ｆ２＝０．５７９
（３）Ｐａｉｒ１２／Ｐ＝−１．６５８
（４）ｆ１／ｆ２３＝０．１０７
（５）Ｐａｉｒ２３／Ｐ＝２．３９９
（６）ｄ１／ｆ＝０．２３７
（７）ｄ３／ｆ＝０．２５６
（８）ｄ５／ｆ＝０．１７７
（９）ν３＝３０【００６４】
図９は実施例５の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。
図１０Ａ、Ｂ、Ｃは実施例５の撮像レンズの収差図（球面収差、非点収差、歪曲収差）である。【００６５】
［実施例６］
撮像レンズの全体諸元を以下に示す。
ｆ＝２．４６ｍｍ
ｆＢ＝０．１０ｍｍ
Ｆ＝２．８
２Ｙ＝３．８ｍｍ
ＥＮＴＰ＝０．４１ｍｍ
ＥＸＴＰ＝−２．２０ｍｍ
Ｈ１＝０．２５ｍｍ
Ｈ２＝−２．３５ｍｍ【００６６】
撮像レンズの面データを以下に示す。
面番号        Ｒ(mm)        Ｄ(mm)        Nd        νd        有効半径(mm)
１（＊）    1.289          0.46        1.5305       56          0.65
２（＊）   12.880          0.05                                 0.46
３(絞り)      ∞           0.53                                 0.38
４（＊）   -0.810          0.50        1.5305       56          0.55
５（＊）   -0.721          0.12                                 0.77
６（＊）    1.341          0.38        1.5830       30          1.22
７（＊）    0.860          0.74                                 1.40
８            ∞           0.40        1.5168      64.2         2.00
９            ∞                                               2.00【００６７】
非球面係数を以下に示す。
第１面
K=-0.62565E+00, A4=0.22974E-01, A6=-0.34077E+00, A8=0.83717E+00, A10=-0.28413E+01, A12=0.43129E+01, A14=-0.30317E+01
第２面
K=-0.13165E+02, A4=-0.29878E+00, A6=0.21144E+01, A8=-0.17960E+02, A10=0.61411E+02, A12=-0.71618E+02
第４面
K=-0.80670E+00, A4=-0.11672E+00, A6=-0.45307E+01, A8=0.11553E+02, A10=-0.14660E+02, A12=0.22583E+02
第５面
K=-0.80487E+00, A4=-0.60087E+00, A6=0.18035E+01, A8=-0.32933E+01, A10=-0.28596E+01, A12=0.11679E+02, A14=0.74684E+01, A16=-0.17438E+02
第６面
K=-0.24601E+02, A4=-0.37201E+00, A6=0.24905E+00, A8=-0.22023E-01, A10=-0.28699E-01, A12=-0.87129E-02, A14=0.15837E-01, A16=-0.39142E-02
第７面
K=-0.70116E+01, A4=-0.27489E+00, A6=0.15741E+00, A8=-0.77602E-01, A10=0.18750E-01, A12=0.29566E-02, A14=-0.36631E-02, A16=0.83444E-03【００６８】
撮像レンズの単レンズデータを以下に示す。
レンズ         始面         焦点距離(mm)
１            １            2.663
２            ４            4.169
３            ６           -5.823【００６９】
条件式（１）〜（９）に対応する値を以下に示す。
（１）ｆ１２／ｆ３＝−０．３８９
（２）ｆ１／ｆ２＝０．６３９
（３）Ｐａｉｒ１２／Ｐ＝−１．７４８
（４）ｆ１／ｆ２３＝０．２００
（５）Ｐａｉｒ２３／Ｐ＝２．７８２
（６）ｄ１／ｆ＝０．１８９
（７）ｄ３／ｆ＝０．２０６
（８）ｄ５／ｆ＝０．１５６
（９）ν３＝３０【００７０】
図１１は実施例６の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。図１２Ａ、Ｂ、Ｃは実施例６の撮像レンズの収差図（球面収差、非点収差、歪曲収差）である。【００７１】
［実施例７］
撮像レンズの全体諸元を以下に示す。
ｆ＝２．４５ｍｍ
ｆＢ＝０．０５ｍｍ
Ｆ＝２．８
２Ｙ＝３．８ｍｍ
ＥＮＴＰ＝０．４１ｍｍ
ＥＸＴＰ＝−２．２６ｍｍ
Ｈ１＝０．２７ｍｍ
Ｈ２＝−２．４０ｍｍ【００７２】
撮像レンズの面データを以下に示す。
面番号        Ｒ(mm)        Ｄ(mm)        Nd        νd        有効半径(mm)
１（＊）    1.206          0.46        1.5305       56          0.64
２（＊）    7.331          0.05                                 0.45
３(絞り)      ∞           0.51                                 0.38
４（＊）   -0.848          0.53        1.5305       56          0.54
５（＊）   -0.751          0.10                                 0.78
６（＊）    1.417          0.40        1.5830       30          1.23
７（＊）    0.915          0.79                                 1.41
８            ∞           0.40        1.5168      64.2         2.00
９            ∞                                               2.00【００７３】
非球面係数を以下に示す。
第１面
K=-0.54416E+00, A4=0.23223E-01, A6=-0.97263E-01, A8=-0.21172E+00, A10=-0.74881E+00, A12=0.38846E+01, A14=-0.53008E+01
第２面
K=0.50000E+02, A4=-0.29447E+00, A6=0.23446E+01, A8=-0.20568E+02, A10=0.69326E+02, A12=-0.71618E+02
第４面
K=-0.90856E+00, A4=-0.98201E-01, A6=-0.50314E+01, A8=0.14896E+02, A10=-0.25111E+02, A12=0.22583E+02
第５面
K=-0.71914E+00, A4=-0.54546E+00, A6=0.16300E+01, A8=-0.27881E+01, A10=-0.25985E+01, A12=0.94326E+01, A14=0.57157E+01, A16=-0.12881E+02
第６面
K=-0.25542E+02, A4=-0.34856E+00, A6=0.20849E+00, A8=-0.31470E-02, A10=-0.19103E-01, A12=-0.12750E-01, A14=0.11847E-01, A16=-0.23443E-02
第７面
K=-0.68891E+01, A4=-0.26555E+00, A6=0.14481E+00, A8=-0.67610E-01, A10=0.14547E-01, A12=0.24790E-02, A14=-0.21818E-02, A16=0.41862E-03【００７４】
撮像レンズの単レンズデータを以下に示す。
レンズ         始面         焦点距離(mm)
１            １            2.652
２            ４            4.252
３            ６           -6.265【００７５】
条件式（１）〜（９）に対応する値を以下に示す。
（１）ｆ１２／ｆ３＝−０．３６４
（２）ｆ１／ｆ２＝０．６２４
（３）Ｐａｉｒ１２／Ｐ＝−１．７６９
（４）ｆ１／ｆ２３＝０．２１８
（５）Ｐａｉｒ２３／Ｐ＝２．６６１
（６）ｄ１／ｆ＝０．１８７
（７）ｄ３／ｆ＝０．２１９
（８）ｄ５／ｆ＝０．１６２
（９）ν３＝３０【００７６】
図１３は実施例７の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。図１４Ａ、Ｂ、Ｃは実施例７の撮像レンズの収差図（球面収差、非点収差、歪曲収差）である。【００７７】
［実施例８］
撮像レンズの全体諸元を以下に示す。
ｆ＝２．４１ｍｍ
ｆＢ＝０．０５ｍｍ
Ｆ＝２．８
２Ｙ＝３．８ｍｍ
ＥＮＴＰ＝０．５０ｍｍ
ＥＸＴＰ＝−２．０６ｍｍ
Ｈ１＝０．１５ｍｍ
Ｈ２＝−２．３６ｍｍ【００７８】
撮像レンズの面データを以下に示す。
面番号        Ｒ(mm)        Ｄ(mm)        Nd        νd        有効半径(mm)
１（＊）    1.099          0.54        1.5305       56          0.67
２（＊）    7.147          0.05                                 0.44
３(絞り)      ∞           0.43                                 0.36
４（＊）   -0.836          0.60        1.5305       56          0.49
５（＊）   -0.812          0.10                                 0.78
６（＊）    1.492          0.45        1.5830       30          1.26
７（＊）    0.962          0.63                                 1.46
８            ∞           0.40        1.5168      64.2         2.00
９            ∞                                               2.00【００７９】
非球面係数を以下に示す。
第１面
K=-0.24089E+00, A4=-0.42000E-02, A6=-0.87218E-01, A8=-0.19324E+00, A10=-0.69700E+00, A12=0.12226E+01, A14=-0.14562E+01
第２面
K=-0.49485E+02, A4=-0.24765E+00, A6=0.36275E+00, A8=-0.90643E+01, A10=0.45270E+02, A12=-0.71597E+02
第４面
K=-0.10664E+01, A4=-0.62667E-01, A6=-0.76689E+01, A8=0.24185E+02, A10=-0.85204E+02, A12=0.21729E+02
第５面
K=-0.73708E+00, A4=-0.58196E+00, A6=0.14245E+01, A8=-0.22796E+01, A10=-0.25846E+01, A12=0.60833E+01
第６面
K=-0.50000E+02, A4=-0.37197E+00, A6=0.17796E+00, A8=0.30840E-01, A10=-0.83528E-02, A12=-0.20689E-01, A14=0.68780E-02
第７面
K=-0.97558E+01, A4=-0.26339E+00, A6=0.14211E+00, A8=-0.60401E-01, A10=0.88379E-02, A12=0.21280E-02, A14=-0.49782E-03【００８０】
撮像レンズの単レンズデータを以下に示す。
レンズ         始面         焦点距離(mm)
１            １            2.375
２            ４            5.501
３            ６           -6.747【００８１】
条件式（１）〜（９）に対応する値を以下に示す。
（１）ｆ１２／ｆ３＝−０．３４７
（２）ｆ１／ｆ２＝０．４３２
（３）Ｐａｉｒ１２／Ｐ＝−１．７６５
（４）ｆ１／ｆ２３＝０．０７２
（５）Ｐａｉｒ２３／Ｐ＝２．４５６
（６）ｄ１／ｆ＝０．２２５
（７）ｄ３／ｆ＝０．２５０
（８）ｄ５／ｆ＝０．１８６
（９）ν３＝３０【００８２】
図１５は実施例８の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。図１６Ａ、Ｂ、Ｃは実施例８の撮像レンズの収差図（球面収差、非点収差、歪曲収差）である。【００８３】
［実施例９］
撮像レンズの全体諸元を以下に示す。
ｆ＝２．４５ｍｍ
ｆＢ＝０．０５ｍｍ
Ｆ＝２．８
２Ｙ＝３．８ｍｍ
ＥＮＴＰ＝０．４７ｍｍ
ＥＸＴＰ＝−２．２ｍｍ
Ｈ１＝０．２６ｍｍ
Ｈ２＝−２．３９ｍｍ【００８４】
撮像レンズの面データを以下に示す。
面番号        Ｒ(mm)        Ｄ(mm)        Nd        νd        有効半径(mm)
１（＊）    1.060          0.51        1.5305       56          0.65
２（＊）    4.204          0.05                                 0.42
３(絞り)      ∞           0.40                                 0.36
４（＊）   -0.831          0.56        1.5305       56          0.49
５（＊）   -0.788          0.17                                 0.76
６（＊）    1.699          0.41        1.5830       30          1.23
７（＊）    1.146          0.73                                 1.41
８            ∞           0.40        1.5168      64.2         2.00
９            ∞                                               2.00【００８５】
非球面係数を以下に示す。
第１面
K=-0.24857E+00, A4=0.52032E-01, A6=-0.12883E+00, A8=0.53868E-01, A10=-0.26339E+00, A12=0.48905E+00, A14=-0.21997E+01
第２面
K=0.50000E+02, A4=-0.33027E+00, A6=0.14832E+01, A8=-0.16364E+02, A10=0.57253E+02, A12=-0.71201E+02
第４面
K=-0.38497E+00, A4=-0.21925E+00, A6=-0.57597E+01, A8=0.19371E+02, A10=-0.52486E+02, A12=0.22586E+02
第５面
K=-0.63343E+00, A4=-0.60596E+00, A6=0.16790E+01, A8=-0.28090E+01, A10=-0.29664E+01, A12=0.89990E+01, A14=0.63833E+01, A16=-0.11663E+02
第６面
K=-0.45581E+02, A4=-0.33339E+00, A6=0.19756E+00, A8=-0.12012E-01, A10=-0.11528E-01, A12=-0.11892E-01, A14=0.10527E-01, A16=-0.21503E-02
第７面
K=-0.91637E+01, A4=-0.25481E+00, A6=0.13176E+00, A8=-0.61480E-01, A10=0.14127E-01, A12=0.17427E-02, A14=-0.24788E-02, A16=0.62752E-03【００８６】
撮像レンズの単レンズデータを以下に示す。
レンズ         始面         焦点距離(mm)
１            １            2.529
２            ４            5.239
３            ６           -8.347【００８７】
条件式（１）〜（９）に対応する値を以下に示す。
（１）ｆ１２／ｆ３＝−０．２８３
（２）ｆ１／ｆ２＝０．４８３
（３）Ｐａｉｒ１２／Ｐ＝−１．９５９
（４）ｆ１／ｆ２３＝０．１８３
（５）Ｐａｉｒ２３／Ｐ＝２．３９０
（６）ｄ１／ｆ＝０．２０９
（７）ｄ３／ｆ＝０．２２８
（８）ｄ５／ｆ＝０．１６９
（９）ν３＝３０【００８８】
図１７は実施例９の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。図１８Ａ、Ｂ、Ｃは実施例９の撮像レンズの収差図（球面収差、非点収差、歪曲収差）である。【００８９】
［実施例１０］
撮像レンズの全体諸元を以下に示す。
ｆ＝２．４５ｍｍ
ｆＢ＝０．０５ｍｍ
Ｆ＝２．８
２Ｙ＝３．８ｍｍ
ＥＮＴＰ＝０．４３ｍｍ
ＥＸＴＰ＝−２．２４ｍｍ
Ｈ１＝０．２５ｍｍ
Ｈ２＝−２．４１ｍｍ【００９０】
撮像レンズの面データを以下に示す。
面番号        Ｒ(mm)        Ｄ(mm)        Nd        νd        有効半径(mm)
１（＊）    1.172          0.47        1.5305       56          0.64
２（＊）    6.581          0.05                                 0.44
３(絞り)      ∞           0.51                                 0.38
４（＊）   -0.806          0.49        1.5305       56          0.54
５（＊）   -0.788          0.10                                 0.77
６（＊）    1.604          0.48        1.5830       30          0.26
７（＊）    1.143          0.74                                 1.45
８            ∞           0.40        1.5168      64.2         2.00
９            ∞                                               2.00【００９１】
非球面係数を以下に示す。
第１面
K=-0.43113E+00, A4=0.32381E-01, A6=-0.13033E+00, A8=-0.12156E-01, A10=-0.60494E+00, A12=0.23474E+01, A14=-0.35029E+01
第２面
K=0.49990E+02, A4=-0.24937E+00, A6=0.20236E+01, A8=-0.18847E+02, A10=0.64797E+02, A12=-0.68324E+02
第４面
K=-0.86792E+00, A4=-0.60049E-01, A6=-0.47020E+01, A8=0.12597E+02, A10=-0.21786E+02, A12=0.23459E+02
第５面
K=-0.58616E+00, A4=-0.48630E+00, A6=0.14951E+01, A8=-0.28676E+01, A10=-0.20155E+01, A12=0.11231E+02, A14=0.35871E+00, A16=-0.96649E+01
第６面
K=-0.23998E+02, A4=-0.25339E+00, A6=0.14636E+00, A8=0.48618E-02, A10=-0.11134E-01, A12=-0.14505E-01, A14=0.10215E-01, A16=-0.18238E-02
第７面
K=-0.68357E+01, A4=-0.23593E+00, A6=0.13410E+00, A8=-0.61161E-01, A10=0.12364E-01, A12=0.16622E-02, A14=-0.88844E-03, A16=0.50820E-04【００９２】
撮像レンズの単レンズデータを以下に示す。
レンズ         始面         焦点距離(mm)
１            １            2.609
２            ４            6.313
３            ６          -11.021【００９３】
条件式（１）〜（９）に対応する値を以下に示す。
（１）ｆ１２／ｆ３＝−０．２２６
（２）ｆ１／ｆ２＝０．４１３
（３）Ｐａｉｒ１２／Ｐ＝−１．８８４
（４）ｆ１／ｆ２３＝０．１９４
（５）Ｐａｉｒ２３／Ｐ＝２．４８２
（６）ｄ１／ｆ＝０．１９４
（７）ｄ３／ｆ＝０．２０２
（８）ｄ５／ｆ＝０．１９５
（９）ν３＝３０【００９４】
図１９は実施例１０の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。図２０Ａ、Ｂ、Ｃは実施例１０の撮像レンズの収差図（球面収差、非点収差、歪曲収差）である。【００９５】
［実施例１１］
撮像レンズの全体諸元を以下に示す。
ｆ＝１．８１ｍｍ
ｆＢ＝０．０５ｍｍ
Ｆ＝２．８
２Ｙ＝３ｍｍ
ＥＮＴＰ＝０．３３ｍｍ
ＥＸＴＰ＝−１．５７ｍｍ
Ｈ１＝０．１２ｍｍ
Ｈ２＝−１．７６ｍｍ【００９６】
撮像レンズの面データを以下に示す。
面番号        Ｒ(mm)        Ｄ(mm)        Nd        νd        有効半径(mm)
１（＊）    0.800          0.39        1.5447       56          0.47
２（＊）    2.657          0.02                                 0.28
３(絞り)      ∞           0.29                                 0.27
４（＊）   -0.751          0.48        1.5447       56          0.37
５（＊）   -0.631          0.18                                 0.59
６（＊）    1.296          0.30        1.6320       23          0.95
７（＊）    0.794          0.41                                 1.16
８            ∞           0.40        1.5168      64.2         1.55
９            ∞                                               1.55【００９７】
非球面係数を以下に示す。
第１面
K=0.50624E-01, A4=0.16140E+00, A6=-0.12987E+01, A8=0.81971E+01, A10=-0.11568E+02, A12=-0.79249E+02, A14=0.18423E+03
第２面
K=0.27609E+02, A4=0.24224E+00, A6=-0.14906E+02, A8=0.16140E+03, A10=-0.61808E+03, A12=-0.13792E+04
第４面
K=-0.53764E+01, A4=-0.23297E+01, A6=-0.12432E+02, A8=0.64232E+02, A10=-0.34073E+03, A12=0.40767E+03
第５面
K=-0.68896E+00, A4=-0.11893E+01, A6=0.42515E+01, A8=-0.14599E+02, A10=0.41393E+00, A12=0.58783E+02
第６面
K=-0.28846E+02, A4=-0.81122E+00, A6=0.69385E+00, A8=0.16882E+00, A10=-0.21989E+00, A12=-0.22012E+00, A14=0.10335E+00
第７面
K=-0.75115E+01, A4=-0.51717E+00, A6=0.47650E+00, A8=-0.37294E+00, A10=0.14919E+00, A12=0.34438E-01, A14=-0.40873E-01【００９８】
撮像レンズの単レンズデータを以下に示す。
レンズ         始面         焦点距離(mm)
１            １            1.956
２            ４            3.022
３            ６           -4.212【００９９】
条件式（１）〜（９）に対応する値を以下に示す。
（１）ｆ１２／ｆ３＝−０．３９８
（２）ｆ１／ｆ２＝０．６４７
（３）Ｐａｉｒ１２／Ｐ＝−１．７７０
（４）ｆ１／ｆ２３＝０．２０１
（５）Ｐａｉｒ２３／Ｐ＝２．３１４
（６）ｄ１／ｆ＝０．２１５
（７）ｄ３／ｆ＝０．２６３
（８）ｄ５／ｆ＝０．１６５
（９）ν３＝２３【０１００】
図２１は実施例１１の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。図２２Ａ、Ｂ、Ｃは実施例１１の撮像レンズの収差図（球面収差、非点収差、歪曲収差）である。【０１０１】
［実施例１２］
撮像レンズの全体諸元を以下に示す。
ｆ＝１．８７ｍｍ
ｆＢ＝０．０４ｍｍ
Ｆ＝２．８
２Ｙ＝３ｍｍ
ＥＮＴＰ＝０．３８ｍｍ
ＥＸＴＰ＝−１．５９ｍｍ
Ｈ１＝０．１１ｍｍ
Ｈ２＝−１．８２ｍｍ【０１０２】
撮像レンズの面データを以下に示す。
面番号        Ｒ(mm)        Ｄ(mm)        Nd        νd        有効半径(mm)
１（＊）    0.901          0.45        1.5447      5 6          0.51
２（＊）    3.563          0.02                                 0.29
３(絞り)      ∞           0.30                                 0.28
４（＊）   -0.824          0.50        1.5447       56          0.39
５（＊）   -0.705          0.13                                 0.60
６（＊）    1.448          0.42        1.6320       23          0.90
７（＊）    0.904          0.40                                 1.17
８            ∞           0.40        1.5168      64.2         1.55
９            ∞                                               1.55【０１０３】
非球面係数を以下に示す。
第１面
K=-0.10394E-01, A4=0.15118E+00, A6=-0.13121E+01, A8=0.79872E+01, A10=-0.18868E+02, A12=-0.94095E+01, A14=0.53730E+02
第２面
K=0.50000E+02, A4=0.31655E+00, A6=-0.16421E+02, A8=0.18682E+03, A10=-0.70024E+03, A12=-0.13792E+04
第４面
K=-0.99080E+01, A4=-0.27180E+01, A6=-0.48675E+01, A8=0.23637E+02, A10=-0.16484E+03, A12=0.40767E+03
第５面
K=-0.49400E+00, A4=-0.15898E+01, A6=0.59970E+01, A8=-0.19573E+02, A10=0.15931E+02, A12=0.26489E+02
第６面
K=-0.33599E+02, A4=-0.88704E+00, A6=0.86393E+00, A8=0.18337E+00, A10=-0.46032E+00, A12=-0.96367E-01, A14=0.97275E-01
第７面
K=-0.62558E+01, A4=-0.48831E+00, A6=0.45103E+00, A8=-0.32778E+00, A10=0.12204E+00, A12=0.12625E-01, A14=-0.19446E-01【０１０４】
撮像レンズの単レンズデータを以下に示す。
レンズ         始面         焦点距離(mm)
１            １            2.089
２            ４            3.629
３            ６           -5.450【０１０５】
条件式（１）〜（９）に対応する値を以下に示す。
（１）ｆ１２／ｆ３＝−０．３３７
（２）ｆ１／ｆ２＝０．５７６
（３）Ｐａｉｒ１２／Ｐ＝−１．５７９
（４）ｆ１／ｆ２３＝０．２３０
（５）Ｐａｉｒ２３／Ｐ＝２．１７２
（６）ｄ１／ｆ＝０．２３９
（７）ｄ３／ｆ＝０．２６５
（８）ｄ５／ｆ＝０．２２７
（９）ν３＝２３【０１０６】
図２３は実施例１２の撮像レンズの断面図である。図中、Ｌ１は第１レンズ、Ｌ２は第２レンズ、Ｌ３は第３レンズ、Ｓは開口絞りを示す。また、Ｆは光学的ローパスフィルター、ＩＲカットフィルタ若しくは固体撮像素子のシールガラス等を想定した平行平板である。図２４Ａ、Ｂ、Ｃは実施例１２の撮像レンズの収差図（球面収差、非点収差、歪曲収差）である。【０１０７】
なお、以上の各実施例において、固体撮像素子の撮像面に入射する光束の主光線入射角については、撮像面の周辺部において必ずしも充分に小さい設計にはなっていない。しかし、最近の技術では、固体撮像素子の色フィルタやオンチップマイクロレンズアレイの配列の見直しによって、シェーディングを軽減することがでるようになってきた。具体的には、撮像素子の撮像面の画素ピッチに対し、色フィルタやオンチップマイクロレンズアレイの配列のピッチをわずかに小さく設定する。それにより、撮像面の周辺部にいくほど各画素に対し色フィルタやオンチップマイクロレンズアレイが撮像レンズ光軸側へシフトし、斜入射の光束を効率的に各画素の受光部に導くことができる。これにより固体撮像素子で発生するシェーディングを小さく抑えることができる。各実施例は、以上の点が緩和された分について、より小型化を目指した設計例となっている。【０１０８】
本発明は、明細書に記載の実施例に限定されるものではなく、他の実施例・変形例を含むことは、本明細書に記載された実施例や思想から本分野の当業者にとって明らかである。例えば、実質的に屈折力を持たないダミーレンズを更に付与した場合でも本発明の適用範囲内である。
【符号の説明】
【０１０９】
Ｌ１  第１レンズ
Ｌ２  第２レンズ
Ｌ３  第３レンズ
Ｓ  開口絞り
Ｆ  平行平板
【図１】
2012035708.tif 000004
【図２Ａ】
2012035708.tif 000005
【図２Ｂ】
2012035708.tif 000006
【図２Ｃ】
2012035708.tif 000007
【図３】
2012035708.tif 000008
【図４Ａ】
2012035708.tif 000009
【図４Ｂ】
2012035708.tif 000010
【図４Ｃ】
2012035708.tif 000011
【図５】
2012035708.tif 000012
【図６Ａ】
2012035708.tif 000013
【図６Ｂ】
2012035708.tif 000014
【図６Ｃ】
2012035708.tif 000015
【図７】
2012035708.tif 000016
【図８Ａ】
2012035708.tif 000017
【図８Ｂ】
2012035708.tif 000018
【図８Ｃ】
2012035708.tif 000019
【図９】
2012035708.tif 000020
【図１０Ａ】
2012035708.tif 000021
【図１０Ｂ】
2012035708.tif 000022
【図１０Ｃ】
2012035708.tif 000023
【図１１】
2012035708.tif 000024
【図１２Ａ】
2012035708.tif 000025
【図１２Ｂ】
2012035708.tif 000026
【図１２Ｃ】
2012035708.tif 000027
【図１３】
2012035708.tif 000028
【図１４Ａ】
2012035708.tif 000029
【図１４Ｂ】
2012035708.tif 000030
【図１４Ｃ】
2012035708.tif 000031
【図１５】
2012035708.tif 000032
【図１６Ａ】
2012035708.tif 000033
【図１６Ｂ】
2012035708.tif 000034
【図１６Ｃ】
2012035708.tif 000035
【図１７】
2012035708.tif 000036
【図１８Ａ】
2012035708.tif 000037
【図１８Ｂ】
2012035708.tif 000038
【図１８Ｃ】
2012035708.tif 000039
【図１９】
2012035708.tif 000040
【図２０Ａ】
2012035708.tif 000041
【図２０Ｂ】
2012035708.tif 000042
【図２０Ｃ】
2012035708.tif 000043
【図２１】
2012035708.tif 000044
【図２２Ａ】
2012035708.tif 000045
【図２２Ｂ】
2012035708.tif 000046
【図２２Ｃ】
2012035708.tif 000047
【図２３】
2012035708.tif 000048
【図２４Ａ】
2012035708.tif 000049
【図２４Ｂ】
2012035708.tif 000050
【図２４Ｃ】
2012035708.tif 000051
【国際調査報告】
2012035708.tif 000052
2012035708.tif 000053
2012035708.tif 000054
2012035708.tif 000055